(57)【要約】【課題】画像データの管理を行う上での利便性の高い記録機能を備えた撮影装置を提供する。【解決手段】撮影光学系を経由して入射した被写体光を固体撮像素子で捉えて画像信号を生成する撮影装置において、生成された画像信号を記録する画像記録部と、画像記録部で記録された画像信号に基づく再生画像を表示画面上に表示する画像表示部と、表示画面上の位置を指定する位置指定部と、音声録音モードにおいて、入力音声を、表示画面上に表示されている再生画像に対応づけるとともにその表示画面上の位置指定部により指定された位置に対応づけて録音する録音部と、音声再生モードにおいて、録音部により録音された音声のうち、表示画面上に表示されている再生画像に対応づけるとともにその画面上の位置指定部により指定された位置に対応づけられた音声を再生する音声再生部とを備える。【選択図】        図４
2006135763.tif 000002
【特許請求の範囲】
【請求項１】
撮影光学系を経由して入射した被写体光を固体撮像素子で捉えて画像信号を生成する撮影装置において、
生成された画像信号を記録する画像記録部と、
前記画像記録部で記録された画像信号に基づく再生画像を表示画面上に表示する画像表示部と、
前記表示画面上の位置を指定する位置指定部と、
音声録音モードにおいて、入力音声を、前記表示画面上に表示されている再生画像に対応づけるとともに該表示画面上の前記位置指定部により指定された位置に対応づけて録音する録音部と、
音声再生モードにおいて、前記録音部により録音された音声のうち、前記表示画面上に表示されている再生画像に対応づけるとともに該表示画面上の前記位置指定部により指定された位置に対応づけられた音声を再生する音声再生部とを備えたことを特徴とする撮影装置。
【請求項２】
前記表示画面が、接触位置を認識するタッチパネルであって、前記位置指定部は、該タッチパネルにより認識された接触位置を前記表示画面上の位置として指定するものである
ことを特徴とする請求項１記載の撮影装置。
【請求項３】
前記録音部が、前記表示画面上に表示された同一の再生画像であって前記位置指定部により指定された前記表示画面上の同一の位置に対応づけた複数の音声入力を受け付けて複数の入力音声を録音するものであることを特徴とする請求項１記載の撮影装置。
【請求項４】
前記音声再生部は、前記表示画面上に表示された再生画像について前記位置指定部により複数の位置が順次指定されたことを受けて、指定された複数の位置に対応付けられた複数の音声を指定された順序で順次再生するものであることを特徴とする請求項１記載の撮影装置。
【発明の詳細な説明】
【技術分野】
【０００１】
本発明は、画像信号を生成する撮影装置に関する。
【背景技術】
【０００２】
近年、デジタルカメラを中心とする撮影装置や、この撮影装置を構成する様々な素子に関する技術が急速に発展してきている。こうした撮影装置の中には、撮影画像の処理に直接関わる様々な機能の他に、音声によって記録を残すための録音・再生機能として、いわゆるボイスメモ機能を有し、この機能を用いて音声メモの録音・再生を行うことができるものもある。このような機能を利用して、画像に応じた記録を残すことができると、画像データの管理を行う上で便利である。
【０００３】
例えば、撮影装置の分野とは異なる分野ではあるが、コンピュータを用いたデータ処理の分野において、音声データを画像データと関連付ける処理を行いながら、その画像データをディスプレイ上で再生する方法（例えば、特許文献１参照）や、伝言の記録・再生装置の分野において、パネルにタッチペンで伝言を書き入れて伝言を残す機能とともに、伝言を音声で記録・再生する機能や伝言者を録画・再生する機能も兼ね備えた電子伝言板システム（例えば、特許文献２参照）が提案されている。
【特許文献１】特開２００１−２１６０６３号公報
【特許文献２】特開２０００−２４２２５４号公報
【発明の開示】
【発明が解決しようとする課題】
【０００４】
しかしながら、これら特許文献１および特許文献２に記載されている技術では、伝言や画像に関連付けられている音声情報の情報は、伝言や画像の記録時に記録された情報に限定されるため、画像データの管理を行う上での利便性が良くない。また、デジタルカメラに備えられているボイスメモ機能では、一つの画像に音声データを関連付けるために、一つの画像に対して異なる複数種類の音声メモを残す必要がある場合には、これらの音声メモ同士を区別する手段がなく、画像データの管理を行う上での利便性が良くない。
【０００５】
本発明は、上記事情に鑑み、画像データの管理を行う上での利便性の高い記録機能を備えた撮影装置を提供することを目的とする。
【課題を解決するための手段】
【０００６】
上記目的を達成するための本発明の撮影装置は、
撮影光学系を経由して入射した被写体光を固体撮像素子で捉えて画像信号を生成する撮影装置において、
生成された画像信号を記録する画像記録部と、
上記画像記録部で記録された画像信号に基づく再生画像を表示画面上に表示する画像表示部と、
上記表示画面上の位置を指定する位置指定部と、
音声録音モードにおいて、入力音声を、上記表示画面上に表示されている再生画像に対応づけるとともに該表示画面上の上記位置指定部により指定された位置に対応づけて録音する録音部と、
音声再生モードにおいて、上記録音部により録音された音声のうち、上記表示画面上に表示されている再生画像に対応づけるとともに該表示画面上の上記位置指定部により指定された位置に対応づけられた音声を再生する音声再生部とを備えたことを特徴とする。
【０００７】
本発明の撮影装置は、再生画像およびその再生画像が表示されている表示画面上の位置に対応づけて録音および再生を行うことができるため、画像の再生時であればいつでも画像に関する音声記録を、表示画面上のユーザの好みの位置において付け加えたり更新したりすることができる。このため、画像に関する音声記録を残すことができるタイミングが、特許文献１および特許文献２記載の装置のように画像の撮影時に限定されることがなく、さらに従来のデジタルカメラのボイスメモ機能と異なり、一つの画像に対する異なる複数種類の音声メモを、その画像が表示されている表示画面上の位置によって区別することができるため、画像データの管理を行う上での利便性が高い。
【０００８】
また、本発明の撮影装置は、上記表示画面が、接触位置を認識するタッチパネルであって、上記位置指定部は、該タッチパネルにより認識された接触位置を上記表示画面上の位置として設定するものであってもよい。
【０００９】
このようにタッチパネルに接触するだけで画像に関する音声記録を残す機能を表示画面に設けることで、記録を残すための操作が簡単化され、画像データの管理を行う上での利便性を一層向上させることができる。
【００１０】
また、本発明の撮影装置は、上記録音部が、上記表示画面上に表示された同一の再生画像であって上記位置指定部により指定された上記表示画面上の同一の位置に対応づけた複数の音声入力を受け付けて複数の入力音声を録音するものであってもよい。
【００１１】
このように同一の再生画像が表示されている表示画面上の同一の位置に対応づけた複数の音声記録を残す機能を設けることで、再生画像の特定の位置に関連した音声記録をより多く残すことができる。
【００１２】
また、本発明の撮影装置は、上記音声再生部は、上記表示画面上に表示された再生画像について上記位置指定部により複数の位置が順次指定されたことを受けて、指定された複数の位置に対応付けられた複数の音声を指定された順序で順次再生するものであってもよい。
【００１３】
このように複数の位置が順次指定されると、それら複数の位置に対応付けられた複数の音声を指定された順序で順次再生する機能を設けることで、互いに関連性のある音声記録を、連続した一連の音声記録として連続的に再生することができ、位置の指定を行いその位置での音声記録の再生が終わるのを待って次の位置の指定を行う作業を順次繰り返す場合に比べ、利便性を向上させることができる。
【発明の効果】
【００１４】
本発明の撮影装置によれば、画像データの管理を行う上で、記録機能の利便性を高めることができる。
【発明を実施するための最良の形態】
【００１５】
以下、本発明の撮影装置の一実施形態を説明する。本実施形態の撮影装置は、撮影する被写体を画像モニタの一種であるＬＣＤ上に表示する機能とともに、音声の録音・再生機能も備えたデジタルカメラである。
【００１６】
図１は、本発明の撮影装置の一実施形態であるデジタルカメラを前面斜め上から見た外観斜視図であり、図２は、このデジタルカメラを背面斜め上から見た外観斜視図である。
【００１７】
図１に示すように、このデジタルカメラ１００の前面中央部には、撮影レンズ１０１が備えられている。また、このデジタルカメラ１００の前面上部には、光学式ファインダ対物窓１０２および補助光発光部１０３が備えられている。さらに、このデジタルカメラ１００の上面には、スライド式の電源スイッチ１０４およびレリーズスイッチ１５０が備えられている。これら撮影に直接用いられる機能に加え、このデジタルカメラ１００には、内部に備えられたマイクロフォンに音を伝達する複数の穴からなる受話口１８１ａと、内部に備えられたスピーカから発生する音を伝える複数の穴からなる発音口１８２ａが、それぞれデジタルカメラ１００の上面および側面に設けられている。また、図２に示すように、このデジタルカメラ１００の背面には、光学式ファインダ接眼窓１０６、撮影モードを決定するためのメニューボタン１６０、画像を表示するＬＣＤ１３０、このＬＣＤ１３０の画像表示機能のオンオフを行うための実行／画面切換スイッチ１７０が備えられている。このメニューボタン１６０は、中央部に備えられている設定ボタン１６３と、図において設定ボタンを中心に上下左右の４つの方向を向いた矢印で示されている、上ボタン１６３、下ボタン１６５、右ボタン１６２、左ボタン１６４とから構成されている。これら上下左右の４つのボタン１６３〜１６４を用いて、ＬＣＤ１３０上に表示される撮影モードに関する複数のメニュー項目から、ユーザの好みのメニュー項目が選択され、さらに設定ボタン１６３を押すことによってその選択したメニュー項目を設定される。また、このデジタルカメラ１００に備えられている、録音機能や再生機能を動作させるための動作開始の指示は、右ボタン１６２が押されることによって行われ、動作終了の指示は、設定ボタン１６３を押すことによって行われる。
【００１８】
図３は、図１および図２に外観を示すデジタルカメラの概略構成図である。
【００１９】
図３に示すように本実施形態のデジタルカメラ１００は、その構成上、大きく分けて撮影光学系１１０と信号処理部１２０とに分かれる。これらに加えて、被写体像を表示するＬＣＤ１３０、および撮影した画像データを記録しておくための外部記録媒体１４０が備えられている。また図１および図２の外観図において説明したように、撮影のための処理をデジタルカメラ１００に行なわせる、実行／画面切換スイッチ１７０、メニューボタン１６０、およびレリーズスイッチ１５０の各種のスイッチと、音声の録音・再生を行うためのマイクロフォン１８１とスピ−カ１８２も設けられている。
【００２０】
以下では、撮影光学系１１０および信号処理部１２０について説明する。
【００２１】
まず撮影光学系１１０の構成を、図３を参照して説明する。本実施形態のデジタルカメラ１００では、図３の左方から被写体光が入射し、レンズ１１４を経て、シャッタ１１２が開いている場合は、撮像素子としてのＣＣＤ１１１に結像する。本来撮影光学系には複数のレンズが配備され、これらの位置の調節によってピント調節や焦点距離の調節が行われるが、この図３では、これら複数のレンズをレンズ１１４として模式的に示している。このレンズ１１４は信号処理部１２０からの信号に基づいて移動することが自在な構成になっており、ピント調節や焦点距離の調節は、信号処理部１２０からの信号に基づいて行われる。
【００２２】
続いて信号処理部１２０について説明する。撮影光学系でＣＣＤ１１１に結像させた被写体像がアナログ信号の画像データとして信号処理部１２０に入力されると、信号処理部１２０内でこのアナログ信号がデジタル信号に変換される。信号処理部１２０には、信号処理のための動作の手順を示したプログラムが備えられており、このプログラムにしたがってデジタル化された画像データについての信号処理が行なわれた後、その信号処理が施された画像データがＬＣＤ１３０上で表示され、外部記録媒体１４０に記録される。また、この信号処理部１２０では、レリーズスイッチ１５０、メニューボタン１６０、実行／画面切換スイッチ１７０の各種のスイッチが操作されて、その操作されたという情報が入力されると、その操作に応じた処理もこの信号処理部１２０内のプログラムの手順にしたがって行われる。
【００２３】
さらに本実施形態のデジタルカメラ１００のＬＣＤ１３０は、画像の再生中にＬＣＤ１３０にユーザがペンや指などで接触すると、そのＬＣＤ１３０上の接触位置を認識するタッチパネルの機能を備えており、接触が行われると、その接触位置が指定された位置情報として信号処理部１２０に入力され、信号処理部１２０は、外部記録媒体１４０から読み出されて再生されている画像とＬＣＤ１３０上の接触位置との両方に対応づけて、マイクロフォン１８１によって入力された音声を外部記録媒体１４０へ録音する作業や録音された音声を外部記録媒体１４０から読み出してスピーカ１８２を介して再生する作業を行う。このような画像およびＬＣＤ１３０上の接触位置と、録音および再生される音声とを対応付けるために必要な動作も、上述のプログラムに書き込まれた手順に従って行われる。
【００２４】
以下では、このデジタルカメラ１００を用いて行われる、音声メモの録音および再生の作業をフローチャートを用いて説明する。
【００２５】
図４は、図１および図２に外観図を示し図３に概略構成図を示したデジタルカメラを用いて行われる、音声メモの録音および再生の作業のフローチャートを表す図である。
【００２６】
まず、音声メモを録音あるいは再生するために、撮影画像が図３に示す外部記録媒体１４０から読み出されて、ＬＣＤ１３０上に表示される（ステップＳ１０１）。次にステップＳ１０２において、音声メモの録音が行われるか否かが判定され、録音が行われる場合は、メニューボタン１６０を用いて録音モードの選択・設定が行われ、録音モードに入る（ステップＳ１０３）。この時のメニューボタン１６０の具体的な操作については後述する。このステップＳ１０２の後、ＬＣＤ１３０はタッチパネル化し、ＬＣＤ１３０にユーザがペンや指などで接触すると、そのＬＣＤ１３０上の接触位置を認識するようになる（ステップＳ１０４）。この状態でユーザによってＬＣＤ１３０への接触が行われると、マイクロフォン１８１を介した録音音声の受け付けが開始される（ステップＳ１０５）。すなわち、ＬＣＤ１３０への接触が行われた後で、音声メモがマイクロフォン１８１に入力され、表示されている画像および接触位置との両方に対応づけて、外部記録媒体１４０に音声が録音される。この段階で実行される録音方法や録音機能の詳細については後述する。メニューボタン１６０の有する設定ボタン１６１が押されて録音モード終了の指示が出されるまで、このような過程が繰り返され、接触位置それぞれに対応づけて音声録音が行われる（ステップＳ１０６；Ｎｏ）。メニューボタン１６０中の設定ボタン１６１が押されて録音モード終了の指示が出されると、ステップＳ１０２に戻る（ステップＳ１０６；Ｙｅｓ）。
【００２７】
ステップＳ１０２において、音声メモの録音が行われないと判定された場合は、次にステップＳ１０７において音声メモの再生が行われるか否かが判定される。音声メモの再生が行われないと判定された場合は、このデジタルカメラ１００を用いて行われる、音声メモの録音および再生の作業を終了する。音声メモの再生が行われると判定された場合は、
メニューボタン１６０を用いて再生モードの選択・設定が行われ、再生モードに入る（ステップＳ１０８）。このステップＳ１０７の後、ＬＣＤ１３０はタッチパネル化する（ステップＳ１０９）。この状態でユーザによってＬＣＤ１３０への接触が行われると、表示されている画像および接触位置との両方に対応づけられて外部記録媒体１４０に録音された音声メモが、表示されている画像および接触位置との両方に対応づけられて外部記録媒体１４０から読み出されてスピーカ１８２によって再生される（ステップＳ１１０）。この段階で実行される再生方法や再生機能の詳細については後述する。メニューボタン１６０中の設定ボタン１６１が押されて再生モード終了の指示が出されるまで、このような過程が繰り返され、接触位置それぞれに対応づけて音声再生が行われる（ステップＳ１１１；Ｎｏ）。メニューボタン１６０中の設定ボタン１６１が押されて再生モード終了の指示が出されると、ステップＳ１０２に戻る（ステップＳ１１１；Ｙｅｓ）。
【００２８】
ステップＳ１０３〜Ｓ１０５で説明した音声メモの録音作業と、ステップＳ１０８〜Ｓ１１１で説明した音声メモの再生作業が全て終了すると、ステップＳ１０２およびステップＳ１０７の両方においてＮｏが選択され、音声メモの録音・再生作業が終了する。
【００２９】
以上が、フローチャートを用いた、音声メモの録音および再生の説明である。次に音声メモの録音・再生の方法と機能について、ＬＣＤ１３０上に表示される画像の具体例を用いて説明する。
【００３０】
まず、音声メモの録音の方法について説明する。
【００３１】
図５は、本実施形態のデジタルカメラのＬＣＤ上において、画像の再生中にメニューボタンで録音モードを選択した画面を表す図である。
【００３２】
本実施形態のデジタルカメラ１００では、図２の外観図に示すメニューボタン１６０の有する右ボタン１６２を押すことによって、デジタルカメラ１００の有する様々なメニュー項目の表示が切り換わる。図５では、その中から録音モードが選択された時の状態が表されており、このため画面の左上には、「録音モード」の文字が表示される。
【００３３】
この状態で、さらにメニューボタン１６０の有する設定ボタン１６１を押すことによってその選択が確定して設定が行われ、それとともに図４において説明したようにＬＣＤ１３０はタッチパネル化し、ＬＣＤ１３０にユーザがペンや指で接触すると、そのＬＣＤ１３０上の接触位置を認識するようになる。
【００３４】
図６は、図５に示す画面において、録音モードが設定されて音声メモの録音が行われている画面を模式的に表した図である。
【００３５】
タッチパネル化したＬＣＤ１３０では、画面を単位区画に分割したときの、それぞれの単位区画がそれぞれ独立したボタンとして機能する。図６では、説明のため、点線によってこれら単位区画の区分が模式的に示されているが、実際の画面の上でこのような単位区画がユーザには見えない構成となっている。ペンや指などによって画面が接触されると、その接触された単位区画の位置が接触位置として認識され、同時にこの接触が録音のための音声入力を受け入れる合図となる。そして音声が入力されると、表示されている画像および接触位置との両方に対応づけて外部記録媒体１４０に音声が録音がされる。例えば、位置１３０１が押されると、録音のための音声入力を受け入れる態勢となり、この状態で図に示すように「はいチーズ」という音声が入力されると、この具体例のような集合写真の画像とＬＣＤ１３０上の位置１３０１との両方に対応づけて、「はいチーズ」という音声メモが録音される。このような過程がＬＣＤ１３０上の複数の接触位置においてそれぞれ行われることにより、これら複数の接触位置それぞれに対応づけて複数の音声録音が行われる。さらに、本実施形態のデジタルカメラ１００では、外部記録媒体１４０に、ＬＣＤ１３０への接触回数によって音声入力を識別して同一位置に複数の音声録音を行うこともできる。例えば、位置１３０２が一回押されて図に示すように「あ、目つぶった」という音声が入力された後、さらに位置１３０２が連続的に二回押されて「もう、一回」という音声が入力された場合、この具体例のような集合写真の画像と、ＬＣＤ１３０上の位置１３０１、および位置１３０１において押された回数が一回であるという事実とに対応づけて、「あ、目つぶった」という音声が録音され、またこの集合写真の画像と、ＬＣＤ１３０上の位置１３０１、および位置１３０１において押された回数が連続２回であるという事実とに対応づけて、「もう、一回」という音声が録音される。このように同一の再生画像が表示されている表示画面上の同一の位置に対応づけた複数の音声記録を残す機能を設けることで、本実施形態のデジタルカメラ１００は、再生画像の特定の位置に関連した音声記録をより多く残すことができる。
【００３６】
次に、音声メモの再生の方法について説明する。以下では、図６において音声メモの録音が行われた画像から音声を再生する方法を例として説明する。
【００３７】
図７は、本実施形態のデジタルカメラのＬＣＤ上において、画像の再生中にメニューボタンで音声の再生モードを選択した画面を表す図である。
【００３８】
図５において説明したように、メニューボタン１６０の有する右ボタン１６２によってメニュー項目の表示が切り換わり、図７では、その中から再生モードが選択された時の状態が表されている。このため画面の左上には、「再生モード」の文字が表示される。
【００３９】
この状態で、さらにメニューボタン１６０中の設定ボタン１６１を押すことによってその選択が確定して設定が行われ、それとともにＬＣＤ１３０はタッチパネル化し、接触されると、そのＬＣＤ１３０上の接触位置を認識するようになる。
【００４０】
図８は、再生モードが設定されて、図６に示す画面において録音された音声メモの再生が行われている画面を模式的に表した図である。
【００４１】
再生モードでは、画像とＬＣＤ１３０上の位置との両方に対応づけて外部記録媒体１４０に録音された音声メモは、画像の表示中にそのＬＣＤ１３０上の位置を押すことによって外部記録媒体１４０から読み出されて再生される。また、ＬＣＤ１３０への接触回数によって音声入力を識別されて同一位置に録音された音声は、この接触回数によって識別されて外部記録媒体１４０から読み出され再生される。例えば、図６に示す画面において、この集合写真の画像とＬＣＤ１３０上の位置１３０１との両方に対応づけて録音された、「はいチーズ」という音声メモは、図８に示す再生モードでは、この集合写真の画像を表示中にＬＣＤ１３０上の位置１３０１を押すことによって再生される。同様に、図６に示す画面において、ＬＣＤ１３０上の位置１３０２を一回押すことによって録音された「あ、目つぶった」という音声は、再生モードでは、このＬＣＤ１３０上の位置１３０２を一回押すことによって再生され、ＬＣＤ１３０上の位置１３０２を連続的に二回押すことによって録音された「もう、一回」という音声は、再生モードでは、このＬＣＤ１３０上の位置１３０２を連続的に二回押すことによって再生される。
【００４２】
さらに、本実施形態のデジタルカメラ１００には、この再生モードにおいて画像の表示中にＬＣＤ１３０上の異なる複数の位置がなぞるように押されると、ＬＣＤ１３０によってこれら複数の位置と押された順番が認識されて、表示されている画像とこれら複数の位置それぞれとに対応づけられて録音された音声が、押された順番に再生される音声再生機能が備えられている。以下ではこの機能について説明する。
【００４３】
図９は、再生モードにおいて画像の表示中にＬＣＤ１３０上の複数の位置がなぞるように押されて、音声が押された順番に再生される画面を表す図である。
【００４４】
図９に示すように、画像の表示中にＬＣＤ１３０上の位置１３０３、位置１３０４、位置１３０５、位置１３０６の順番になぞるように押されると、この画像と位置１３０３〜位置１３０６のそれぞれの位置とに対応づけられてそれぞれ録音された「お世話に」、「なりました」、「今後とも」、「よろしくです」という音声が、押された順番に「お世話になりました。今後ともよろしくです。」のように連続して再生される。
【００４５】
このように複数の位置が順次指定されると、それら複数の位置に対応付けられた複数の音声を指定された順序で順次再生する機能を設けることで、互いに関連性のある音声記録を、連続した一連の音声記録として連続的に再生することができ、位置の指定を行いその位置での音声記録の再生が終わるのを待って次の位置の指定を行う作業を順次繰り返すよりも、余計な手間が省け、記録を残すための利便性を向上させることができる。
【００４６】
以上が本実施形態のデジタルカメラ１００の説明である。
【００４７】
以上説明したように、本実施形態のデジタルカメラ１００は、再生画像およびその再生画像が表示されているＬＣＤ１３０上の位置に対応づけて録音や再生を行うことができるため、画像の再生時であればいつでも画像に関する音声記録を、タッチパネルに接触するだけで表示画面上のユーザの好みの位置において付け加えたり更新したりすることができる。このため、画像に関する音声記録を残すことができるタイミングが、画像の撮影時に限定されることがなく、さらに従来のデジタルカメラのボイスメモ機能と異なり、一つの画像に対する異なる複数種類の音声メモを、その画像が表示されているＬＣＤ１３０上の位置によって区別することができるため、画像データの管理を行う上での利便性が高い。
【図面の簡単な説明】
【００４８】
【図１】本発明の撮影装置の一実施形態であるデジタルカメラを前面斜め上から見た外観斜視図である。
【図２】このデジタルカメラを背面斜め上から見た外観斜視図である。
【図３】図１および図２に外観を示すデジタルカメラの概略構成図である。
【図４】図１および図２に外観図を示し図３に概略構成図を示したデジタルカメラを用いて行われる、音声メモの録音および再生の作業のフローチャートを表す図である。
【図５】本実施形態のデジタルカメラのＬＣＤ上において、画像の再生中にメニューボタンで録音モードを選択した画面を表す図である。
【図６】図５に示す画面において、録音モードが設定されて音声メモの録音が行われている画面を模式的に表した図である。
【図７】本実施形態のデジタルカメラのＬＣＤ上において、画像の再生中にメニューボタンで音声の再生モードを選択した画面を表す図である。
【図８】再生モードが設定されて、図６に示す画面において録音された音声メモの再生が行われている画面を模式的に表した図である。
【図９】再生モードにおいて画像の表示中にＬＣＤ１３０上の複数の位置がなぞるように押されて、音声が押された順番に再生される画面を表す図である。
【符号の説明】
【００４９】
１００  デジタルカメラ
１０１  撮影レンズ
１０２  光学式ファインダ対物窓
１０３  補助光発光部
１０４  電源スイッチ
１０６  光学式ファインダ接眼窓
１１０  撮影光学系
１１１  ＣＣＤ
１１２  シャッタ
１１４  レンズ
１２０  信号処理部
１３０  ＬＣＤ
１４０  外部記録媒体
１５０  レリーズスイッチ
１６０  メニューボタン
１６１  設定ボタン
１６２  右ボタン
１６３  上ボタン
１６４  左ボタン
１６５  下ボタン
１７０  実行／画面切換スイッチ
１８１  マイクロフォン
１８１ａ  受話口
１８２  スピーカ
１８２ａ  発音口
１３０１、１３０２、１３０３、１３０４、１３０５，１３０６  ＬＣＤ上の位置
【図１】
2006135763.tif 000003
【図２】
2006135763.tif 000004
【図３】
2006135763.tif 000005
【図４】
2006135763.tif 000006
【図５】
2006135763.tif 000007
【図６】
2006135763.tif 000008
【図７】
2006135763.tif 000009
【図８】
2006135763.tif 000010
【図９】
2006135763.tif 000011